(57)【要約】【課題】原液供給パイプと駆動軸を一体とせず、コンパクトで安価な連続加圧脱水機の原液供給装置を提供する。【解決手段】一対のろ過板（１、１）とろ室外環（２）でろ過室（４）を形成し、ろ過板（１）の内周端を止着した内環支持筒（３）の内部に給液室（７）を形成し、内環支持筒（３）の両端にろ過板スペーサー（５、６）を連結して、一方のろ過板スペーサー（５）に支架した原液の給液管（８）を給液室（７）に連通させると共に、他端のろ過板スペーサー（６）に挿通した駆動軸（１２）を給液室（７）に延設し、ろ過室（４）に配設した羽根車（１３）を駆動軸（１２）に止着したもので、駆動軸（１２）が細くても大きなトルクが得られ、ろ過面積が広くなり、駆動軸の軸受も小さくなる。そして、羽根車（１３）を固定する駆動軸（１２）のキー溝等の加工も小さくなり、疲労強度も少なくなる。【選択図】      図１
2004167542.tif 000002
【特許請求の範囲】
【請求項１】
一対のろ過面を有する円盤状のろ過板（１、１）と環状のろ室外環（２）とでろ過室（４）を形成し、このろ過室（４）に羽根車（１３）を配設して、羽根車（１３）の側端部をろ過板（１）に近接させた加圧脱水機において、ろ過板（１）の内周端に止着した内環支持筒（３）に給液室（７）を設け、原液の給液管（８）を給液室（７）に連通させると共に、駆動軸（１２）を給液室（７）に延設して、ろ過室（４）に配設した羽根車（１３）の基端部を駆動軸（１２）に止着したことを特徴とする連続加圧脱水機の原液供給装置。
【請求項２】
上記内環支持筒（３）の両端にろ過板スペーサー（５、６）を連結して、一方のろ過板スペーサー（５）に原液の給液管（８）を支架し、他端のろ過板スペーサー（６）に駆動軸（１２）を支架したことを特徴とする請求項１に記載の連続加圧脱水機の原液供給装置。
【請求項３】
上記羽根車（１３）を配設したろ過室（４）を並列し、ろ過板（１）の内周端を止着した前後の給液室（７、７）をろ過板スペーサー（２０）で連結したことを特徴とする請求項１または２に記載の連続加圧脱水機の原液供給装置。
【発明の詳細な説明】
【０００１】
【発明の属する技術分野】
この発明は、産業排水汚泥、下水汚泥などの原液を円環状のろ過室に圧入し、羽根車と原液を供回りさせながら、ろ過板からろ液を排出して濃縮脱水する連続加圧脱水機に関し、詳しくは、連続加圧脱水機の原液供給装置の改良に関する。
【０００２】
【従来の技術】
従来、円盤状のろ過板とろ室外環とでろ過室を形成し、このろ過室に回転自在な羽根車を配設して、ろ過室の中心部から圧入した原液を羽根車で供回りさせながら、ろ過板と原液との間に発生する摩擦抵抗と、ろ過面に積層するケーキと原液との間にせん断摩擦抵抗力を発生させて脱水し、羽根車でろ過面のケーキを掻取りながらろ室外環の排出口からケーキを取出す連続加圧脱水機を、特許文献１でこの発明の出願人が提案している。
【０００３】
【特許文献１】
再公表公報のＷＯ００／１６９７０号公報、（請求の範囲の請求項１、発明の詳細な説明の第１頁第１７行目乃至第２６行目及びＦＩＧ１）
【０００４】
【発明が解決しようとする課題】
上記従来の連続加圧脱水機のろ過室を多数並列すれば大容量処理が可能であり、広い設置スペースも必要とせず、ろ布などの消耗品も不用となる。ろ過室への原液供給が、駆動軸に原液の供給路を設け、ろ過板の内周端に設けた連結路からろ過室に原液を供給しており、多室における原液の供給として有効であるが、多室になるほど太い原液供給パイプが必要となり、ろ過面積の減少とコストアップとなる。原液供給パイプは羽根車の駆動軸としての機能を有するため、大きなトルクが必要である。そして、原液を分散供給するための通路を穴あけし、羽根車を駆動軸に固定するためのキー溝等の加工が必要となり、疲労強度上の課題が残る。この発明は、原液供給パイプと駆動軸を一体とせず、コンパクトで安価な連続加圧脱水機の原液供給装置を提供する。
【０００５】
【課題を解決するための手段】
この発明の要旨は、一対のろ過面を有する円盤状のろ過材と環状のろ室外環とでろ過室を形成し、このろ過室に羽根車を配設して、羽根車の羽根の側端部をろ過板に近接させた加圧脱水機において、原液の給液管を給液室に連通させると共に、駆動軸を給液室に延設して、ろ過室に配設した羽根車の基端部を駆動軸に止着したもので、駆動軸を太くしなくても大きなトルクが得られ、ろ過面積を広くすることができる。そして、羽根車を駆動軸に固定するためのキー溝等の加工が少なくなり、疲労強度も少なくなる。
【０００６】
上記内環支持筒の両端にろ過板スペーサーを連結して、一方のろ過板スペーサーに原液の給液管を支架し、他端のろ過板スペーサーに駆動軸を支架したもので、給液管と駆動軸を同心軸上に配列させることができる。羽根車の駆動軸が丸棒のため直径が小さくなり、軸受も小さくなる。そして、羽根車を配設したろ過室を並列し、ろ過板の内周端を止着した前後の給液室をろ過板スペーサーで連結したもので、ろ過板スペーサーを用いるだけで、ろ過室の多室化が可能となり、駆動軸を太くする必要もなく、ろ過室が大きく取れる。
【０００７】
【発明の実施の形態】
この発明に係る装置は上記のように構成してあり、運転開始時には、ケーキの排出口を閉塞し、給液管から給液室に流入した原液をろ過室に圧入すれば、圧入圧力でろ過板のろ過面からろ液が分離され、ろ過板のろ過面にケーキ層が徐々に形成される。羽根車の羽根がろ過板のろ過面に摺接しながら回転し、目詰まりせんとする薄いケーキ層を掻取り、ケーキを搬送しながらろ過板のろ過面を再生する。羽根車で掻取られたケーキはろ過室の外周部に送られて、やがて、ろ液を分離したケーキは流動性を失う。ろ過室に脱水されたケーキが充満して圧力が上昇した時に、ろ過室のケーキの排出口を開放すれば、原液を圧入しながら、羽根車と一緒に回転するケーキが徐々にろ過室から排出される。
【０００８】
ろ過室における原液に対する加圧力は、ろ過室の排出口の開度を調整することにより発生する。ろ過室の圧力が調整された後は、羽根車の羽根がろ過板の内周面に摺接して回転するので、ろ材面が目詰まりすることなく連続運転が可能となる。そして、長時間運転してろ過板の外周面が汚損して目詰まりした時には、ろ過板の外周面に洗浄装置を設ければ、ろ過板の全面が洗浄されて、目詰まりを解消できる。
【０００９】
【実施例】
この発明に係る連続加圧脱水機を図面に基づき詳述すると、図１はこの発明に係る連続加圧脱水機の縦断面図であって、金属ろ材を張設した一対の円板状のろ過板１、１にろ過板１の外周端に環状のろ室外環２と、その内周端に内環支持筒３が連結してあり、一対のろ過板１、１の間に円環状のろ過室４が形成してある。内環支持筒３の前後にろ過板スペーサー５、６が連結してあり、内環支持筒３の内部に給液室７を形成してある。原液の給液管８が一方のろ過板スペーサー５に支架されて給液室７に開口してあり、給液管８から供給した原液を給液室７に圧入し、給液室７から円周方向のろ過室４に流入させる。圧入圧力でろ過板１のろ過面からろ液を分離して、ろ過板１のろ過面にケーキ層を形成させる。
【００１０】
図１に示すように、他方のろ過板スペーサー６の取付座９がフレーム１０に連結して連続加圧脱水機を支架している。フレーム１０側のろ過板スペーサー６の軸受１１に駆動軸１２が軸支してある。この駆動軸１２が給液室７に延設してあり、ろ過室４に配設した羽根車１３が駆動軸１２に止着してある。給液管８と駆動軸１２を同心軸上に配列させることができ、駆動軸１２の直径が小さくなり、軸受１１も小さくなる。給液管８を別構成とした駆動軸１２が細くても大きなトルクが得られ、ろ過面積を広くすることができる。そして、羽根車１３を駆動軸１２に固定するためのキー溝等の加工が小さくなり、疲労強度も少なくなる。
【００１１】
図２はろ過室に配設した羽根車であって、羽根車１３の側縁をろ過板１に近接させ、その先端部をろ室外環２に接近させてある。羽根車１３はこの発明の実施例では羽根車１３の羽根１３ａが４個の直片に折り曲げて湾曲線に近似させて、回転方向後方に後退させてある。羽根車１３の回転方向背面の羽根１３ａには補強リブ１４が断続的に止着してある。図１に示すように、フレーム１０に配設した駆動軸１２の後端に羽根車駆動機１５が連動連結してあり、羽根車駆動機１５を作動して羽根車１３をろ過室４で回転させ、羽根車１３の羽根１３ａをろ過板１の内周面を摺接させる。羽根車１３の羽根１３ａがろ過板１のろ過面に摺接しながら回転し、目詰まりせんとする薄いケーキ層を掻取り、ケーキを搬送しながらろ過板１のろ過面を再生する。ケーキの含水率の低下するろ室外環２の近傍の羽根１３ａが、回転クサビ作用力とケーキを半径方向に移動させる力を増大させて、ケーキに大きなせん断力を与える。
【００１２】
図３は連続加圧脱水機の正面図であって、ろ過板１のろ過材１ａにろ材枠１６が補強してあり、ろ室外環２にケーキの排出口１７が設けてある。排出口１７には、エアーシリンダー１８で開閉させるフラップ弁１９が設けてあり、ろ過室４の排出口１７の開度を調整して、ろ過室４における原液に対する加圧力を発生させる。ろ過室４の圧力が調整された後は、羽根車１３の羽根１３ａがろ過板１の内周面に摺接して回転するので、ろ材面が目詰まりすることなく連続運転が可能となる。図４はろ過室を２室並列した実施例であって、羽根車１３を配設した一対のろ過室４、４を並列し、ろ過板１の内周端に止着した前後の給液室７、７をろ過板スペーサー２０で連結してある。複数のろ過室４…を並列し、ろ過板１の内周部の給液室７…をろ過板スペーサー２０…で連結すれば、ろ過室４…の多室化が可能となり、駆動軸１２を太くする必要もなく、ろ過室４が大きく取れる。なお、符号２１は、ろ過室４の支持用のサポートである。
【００１３】
【発明の効果】
この発明の連続加圧脱水機の原液供給装置は上記のように構成してあり、ろ過面積を広くすることができ、駆動軸も細くなり、コンパクトで安価な原液供給装置となるものである。即ち、従来の原液の供給路を駆動軸に配設した脱水機にあっては、駆動軸が太くなり、ろ過面積の減少と疲労強度上の課題があったものであるが、この発明にあっては、一対のろ過板とろ室外環でろ過室を形成し、ろ過板の内周端に止着した内環支持筒に給液室を設け、この給液室に原液の給液管を連通させ、駆動軸を給液室に延設して、ろ過室に配設した羽根車の基端部を駆動軸に止着したもので、駆動軸を太くしなくても大きなトルクが得られ、羽根車を駆動軸に固定するためのキー溝等の加工が小さくなり、疲労強度も少なくなる。
【００１４】
内環支持筒の両端にろ過板スペーサーを連結して、一方のろ過板スペーサーに原液の給液管を支架し、他端のろ過板スペーサーに駆動軸を支架したもので、給液管と駆動軸を同心軸上に配列させることができる。羽根車の駆動軸の直径が小さくなり、軸受も小さくなる。そして、羽根車を配設したろ過室を並列し、ろ過板の内周端を止着した前後の給液室をろ過板スペーサーで連結しても、ろ過板スペーサーを用いるだけで、駆動軸を太くする必要もなく、ろ過室が大きく取れる。
【図面の簡単な説明】
【図１】この発明に係る連続加圧脱水機の縦断面図である。
【図２】同じく、ろ過室に配設する羽根車の側面図である。
【図３】図１のＡ−Ａの切断線から見た連続加圧脱水機の正面図である
【図４】連続加圧脱水機の他の実施例の縦断面図である。
【符号の説明】
１  ろ過板
２  ろ室外環
３  内環支持筒
４  ろ過室
５、６、２０  ろ過板スペーサー
７  給液室
８  給液管
１２  駆動軸
１３  羽根車
【図１】
2004167542.tif 000003
【図２】
2004167542.tif 000004
【図３】
2004167542.tif 000005
【図４】
2004167542.tif 000006